(57)【特許請求の範囲】
【請求項１】
投入されたメダルを計数して預け入れるメダル預入手段と、払出信号の入力によりメダルを払い出すメダル払出手段と、本人認証を行うために生体情報など本人を特定するための本人特有情報を入力する本人情報入力手段と、少なくとも前記メダル預入手段の計数情報を記録する稼働情報記録手段と、本人認証を行うために生体情報など本人を特定するための本人特有情報が予め記録されている本人情報記録手段と、前記メダル預入手段の計数情報など処理中の情報を一時保存するメモリと、前記本人情報入力手段から入力される本人特有情報と前記本人情報記録手段に記録されている本人特有情報とから本人認証を行い、本人認証ができたとき前記メダル払出手段に払出信号を出力し該メダル払出手段からの預かりメダルの払出を制御する処理部とからなるサーバー機能のメダル預かり払出装置を備え、
前記サーバー機能のメダル預かり払出装置とは別に、投入されたメダルを計数して預け入れるメダル預入手段と、払出信号の入力によりメダルを払い出すメダル払出手段と、本人認証を行うために生体情報など本人を特定するための本人特有情報を入力する本人情報入力手段と、本人認証を行うために生体情報など本人を特定するための本人特有情報が予め記録されている本人情報記録手段と、前記メダル預入手段の計数情報など処理中の情報を一時保存するメモリと、前記本人情報入力手段から入力される本人特有情報と前記本人情報記録手段に記録されている本人特有情報とから本人認証を行い、本人認証ができたとき前記メダル払出手段に払出信号を出力し該メダル払出手段からの預かりメダルの払出を制御する処理部とからなるクライアント機能を有するメダル預かり払出装置とを備え、  前記サーバー機能及びクライアント機能のメダル預かり払出装置の処理部は、ネットワークインターフェースを備えると共に、前記サーバー機能のメダル預かり払出装置と前記クライアント機能のメダル預かり払出装置とをネットワーク接続し、
前記クライアント機能のメダル預かり払出装置の処理部は、該クライアント機能のメダル預かり払出装置における少なくとも前記メダル預入手段の計数情報及び本人認証情報を前記サーバー機能のメダル預かり払出装置のネットワークインターフェースを介して前記稼働情報記録手段に対し入力して記録、更新すると共に、前記サーバーのメダル預かり払出装置の稼働情報記録手段にアクセスして該稼働情報記録手段に記録されている預かりメダルの計数情報に基づき前記払出信号を出力可能とし、且つ前記サーバー機能のメダル預かり払出装置の処理部も、該サーバー機能のメダル預かり払出装置における少なくとも前記メダル預入手段の計数情報及び本人認証情報を前記サーバー機能のメダル預かり払出装置のネットワークインターフェースを介し前記稼働情報記録手段に対し入力して記録、更新すると共に該ネットワークインターフェースを介して前記稼働情報記録手段にアクセスして前記稼働情報記録手段に記録されている預かりメダルの計数情報に基づき前記払出信号を出力可能としたことを特徴とするメダル預かり払出システム。
【請求項２】
請求項１記載のメダル預かり払出システムであって、
前記サーバー機能のメダル預かり払出装置を少なくとも２台併設したことを特徴とするメダル預かり払出システム。
【請求項３】
請求項１又は２記載のメダル預かり払出システムであって、
前記本人情報記録手段は、前記本人特有情報を記憶し本人が所持する情報記録カードであり、
該情報記録カードから本人特有情報を読み取る情報読取手段を設け、
前記処理部は、前記情報読取手段により前記情報記録カードから読み取られた前記本人特有情報を処理して前記本人認証を行うことを特徴とするメダル預かり払出システム。
【請求項４】
請求項１〜３の何れかに記載のメダル預かり払出システムであって、
前記本人情報記録手段から本人特有情報を読み出すためのインデックス情報を入力するインデックス情報入力手段を設け、
前記処理部は、前記入力されたインデックス情報により読み出された前記本人特有情報を処理して前記本人認証を行うことを特徴とするメダル預かり払出システム。
【発明の詳細な説明】
【０００１】
【発明の属する技術分野】
本発明は、遊戯施設等に供されるメダル預かり払出システムに関する。
【０００２】
【従来の技術】
遊戯施設では、メダルを用いたメダルゲーム機を各種備えており、遊戯者は遊戯施設固有のメダルを両替し、該メダルによってメダルゲーム機において遊戯を行うことができる。かかるメダルゲーム機において、メダルゲームに成功すると投入メダル数よりも多くのメダルの払い戻しを受けるゲーム機も存在する。このように払い戻しを受けたメダルは、遊戯施設外への持ち出しが固く禁止され、遊戯施設外へ出る場合にはメダルを遊戯施設側へ預け入れ、次回来場したときに預け入れたメダルの払い戻しを受け、再度メダルゲームを行うことができるようにしている。
【０００３】
このようにして遊戯施設側に預け入れたメダルの払い戻しは、賭博行為防止の観点から、必ず預け入れた本人にしなければならない。このため本願出願人は、特開平７−１７１２４０号公報に記載されたものを提案した。
【０００４】
この先の提案は、メダルの受け入れをなす預入部と、メダルの払い出しをなす払出部と、預入者の掌紋又は指紋の光学的データの入力部と、磁気カード発行部と、カード入力と、所定の制御処理をなす処理部とを備えたものである。そして、預入者の指紋などの光学データと預入数とを記録した磁気カードを発行し、払出時に磁気カードの記録データと入力された指紋などの光学的データとの一致で本人認証を行い、本人認証ができた場合にのみ預入数に応じた払い出しをする。従って、本人以外への預かりメダルの払出しを不可能とすることができる。
【０００５】
【発明が解決しようとする課題】
ところで、遊戯施設の規模によっては上記メダル預かり払出装置を複数台設置することがある。このような場合に、同一の処理機能を有する同一機種のメダル預かり払出装置を複数台増設することとなり、コスト増を招く恐れがある。又、メダルの預かり払出管理も機器ごとに行わなければならず、管理が煩雑になる恐れがある。
【０００６】
本発明は、メダル預かり払出装置を増設する場合においても、安価に増設することができ、また遊戯施設全体でメダルの預かり払出管理を一元化することのできるメダル預かり払出システムの提供を課題とする。
【０００７】
【課題を解決するための手段】
請求項１の発明は、投入されたメダルを計数して預け入れるメダル預入手段と、払出信号の入力によりメダルを払い出すメダル払出手段と、本人認証を行うために生体情報など本人を特定するための本人特有情報を入力する本人情報入力手段と、少なくとも前記メダル預入手段の計数情報を記録する稼働情報記録手段と、本人認証を行うために生体情報など本人を特定するための本人特有情報が予め記録されている本人情報記録手段と、前記メダル預入手段の計数情報など処理中の情報を一時保存するメモリと、前記本人情報入力手段から入力される本人特有情報と前記本人情報記録手段に記録されている本人特有情報とから本人認証を行い、本人認証ができたとき前記メダル払出手段に払出信号を出力し該メダル払出手段からの預かりメダルの払出を制御する処理部とからなるサーバー機能のメダル預かり払出装置を備え、前記サーバー機能のメダル預かり払出装置とは別に、投入されたメダルを計数して預け入れるメダル預入手段と、払出信号の入力によりメダルを払い出すメダル払出手段と、本人認証を行うために生体情報など本人を特定するための本人特有情報を入力する本人情報入力手段と、本人認証を行うために生体情報など本人を特定するための本人特有情報が予め記録されている本人情報記録手段と、前記メダル預入手段の計数情報など処理中の情報を一時保存するメモリと、前記本人情報入力手段から入力される本人特有情報と前記本人情報記録手段に記録されている本人特有情報とから本人認証を行い、本人認証ができたとき前記メダル払出手段に払出信号を出力し該メダル払出手段からの預かりメダルの払出を制御する処理部とからなるクライアント機能を有するメダル預かり払出装置とを備え、前記サーバー機能及びクライアント機能のメダル預かり払出装置の処理部は、ネットワークインターフェースを備えると共に、前記サーバー機能のメダル預かり払出装置と前記クライアント機能のメダル預かり払出装置とをネットワーク接続し、前記クライアント機能のメダル預かり払出装置の処理部は、該クライアント機能のメダル預かり払出装置における少なくとも前記メダル預入手段の計数情報及び本人認証情報を前記サーバー機能のメダル預かり払出装置のネットワークインターフェースを介して前記稼働情報記録手段に対し入力して記録、更新すると共に、前記サーバーのメダル預かり払出装置の稼働情報記録手段にアクセスして該稼働情報記録手段に記録されている預かりメダルの計数情報に基づき前記払出信号を出力可能とし、且つ前記サーバー機能のメダル預かり払出装置の処理部も、該サーバー機能のメダル預かり払出装置における少なくとも前記メダル預入手段の計数情報及び本人認証情報を前記サーバー機能のメダル預かり払出装置のネットワークインターフェースを介し前記稼働情報記録手段に対し入力して記録、更新すると共に該ネットワークインターフェースを介して前記稼働情報記録手段にアクセスして前記稼働情報記録手段に記録されている預かりメダルの計数情報に基づき前記払出信号を出力可能としたことを特徴とする。
【０００９】
請求項２の発明は、請求項１記載のメダル預かり払出システムであって、前記サーバー機能のメダル預かり払出装置を少なくとも２台併設したことを特徴とする。
【００１０】
請求項３の発明は、請求項１又は２記載のメダル預かり払出システムであって、前記本人情報記録手段は、前記本人特有情報を記憶し本人が所持する情報記録カードであり、該情報記録カードから本人特有情報を読み取る情報読取手段を設け、前記処理部は、前記情報読取手段により前記情報記録カードから読み取られた前記本人特有情報を処理して前記本人認証を行うことを特徴とする。
【００１１】
請求項４の発明は、請求項１〜３の何れかに記載のメダル預かり払出システムであって、前記本人情報記録手段から本人特有情報を読み出すためのインデックス情報を入力するインデックス情報入力手段を設け、前記処理部は、前記入力されたインデックス情報により読み出された前記本人特有情報を処理して前記本人認証を行うことを特徴とする。
【００１２】
【発明の効果】
請求項１の発明では、サーバー機能のメダル預かり払出装置及びクライアント機能のメダル預かり払出装置の双方において、メダル預入手段にメダルを投入して預け入れることができる。メダル払出手段では、払出信号の入力によりメダルを払い出すことができる。本人情報入力手段では、本人認証を行うために生体情報など本人を特定するための本人特有情報を入力することができる。サーバー機能のメダル預かり払出装置に備えられた稼働情報記録手段では、少なくとも前記メダル預入手段の計数情報を記録することができる。本人情報記録手段では、生体情報など本人を特定するための本人特有情報を記録することができる。
そして処理部では、本人情報入力手段から入力される本人特有情報と前記本人情報記録手段に記録されている本人特有情報とから本人認証を行い、本人認証ができたとき前記稼働情報記録手段に記録されている預かりメダルの計数情報に基づき前記メダル払出手段に払出信号を出力し該メダル払出手段からの預かりメダルの払出を制御することができる。従って、本人認証を行ってから預かりメダルの払い出しを行い、本人以外への払い出しを防止することができる。
【００１３】
しかも、前記サーバー機能のメダル預かり払出装置及びクライアント機能のメダル預かり払出装置の処理部は、ネットワークインターフェースを備え、該ネットワークインターフェースを介し少なくとも前記メダル預入手段の計数情報と本人認証情報とを前記稼働情報記録手段に入力して記録、更新すると共にサーバー機能のメダル預かり払出装置のネットワークインターフェースを介して前記稼働情報記録手段にアクセス可能にするため、前記サーバー機能のメダル預かり払出装置とクライアント機能のメダル預かり払出装置とでデータアクセスのためのプログラムを単一とすることができる。又、他のメダル預かり装置を増設した場合でも、全てのメダル預かり払出装置のメダル預かり情報、本人認証情報を稼働情報記録手段に記録することで管理を一元的に容易に行うことができる。
【００１５】
請求項２の発明では、請求項１の発明の効果に加え、サーバー機能のメダル預かり払出装置を少なくとも２台併設したため、少なくとも一方が他方のバックアップを行うことができ、一方が故障した場合でもシステム全体を有効に機能させることができる。
【００１６】
請求項３の発明では、請求項１又は２の発明の効果に加え、前記本人情報記録手段は、前記本人特有情報を記憶した本人が所持する情報記録カードであり、該情報記録カードから本人情報を読み取る情報読み取り手段を設け、前記処理部は、前記情報読み取り手段により前記情報記録カードから読み取られた前記本人特有情報を処理して前記本人認証を行うことができる。従って、情報記録カードを他人が所持して使用する場合には、情報記録カードの本人特有情報と本人情報入力手段によって入力された本人特有情報とが異なることととなり、本人以外への払い出しを確実に阻止することができる。
【００１７】
請求項４の発明では、請求項１〜３の何れかの発明の効果に加え、前記本人情報記録手段から本人特有情報を読み出すためのインデックス情報を入力するインデックス情報入力手段を設け、前記処理部は、前記入力されたインデックス情報により読み出された前記本人特有情報を処理して前記本人認証を行うことができる。従って、インデックス情報によって読み出された本人特有情報と、本人情報入力手段によって入力された本人特有情報とが一致する場合にのみ払い出しを行うことができ、他人がインデックス情報を取得し使用した場合でもインデックス情報により読み出された本人特有情報と本人情報入力手段から入力された本人特有情報とが異なることとなり、他人への払い出しを確実に防止することができる。
【００１８】
【発明の実施の形態】
図１は本発明の一実施形態に係り、複数のメダル預かり払出装置１Ａ，１Ｂ，１Ｃ，１Ｄ，１Ｅを無線ＬＡＮによってネットワーク接続した状態のブロック図を示している。これらメダル預かり払出装置１Ａ，１Ｂ，１Ｃ，１Ｄ，１Ｅのうち２台のメダル預かり払出装置１Ａ，１Ｂがサーバー機能を奏し、他のメダル預かり払出装置１Ｃ，１Ｄ，１Ｅがクライアント機能を奏する。尚、各メダル預かり払出装置１Ａ，１Ｂ，１Ｃ，１Ｄ，１Ｅは有線ＬＡＮによって接続することもできる。
【００１９】
これらメダル預かり払出装置１Ａ，１Ｂ，１Ｃ，１Ｄ，１ＥはそれぞれネットワークインターフェースとしてＬＡＮカード３を備えている。サーバー機能を有するメダル預かり払出装置１Ａ，１Ｂには、クライアント機能を有するメダル預かり払出装置１Ｃ，１Ｄ，１Ｅからの情報がＬＡＮカード３を介し同一のデータが入力され、後述するように各ハードディスクに記録されるようになっている。
【００２０】
そして、これらメダル預かり払出装置１Ａ，１Ｂはお互いに監視機能を有しており、一方が故障した場合に他方がバックアップする機能を有している。但し、メダル預かり払出装置１Ａに対し、メダル預かり払出装置１Ｂが監視機能を有し、メダル預かり払出装置１Ａが故障した場合に、メダル預かり払出装置１Ｂがバックアップ機能を有する構成、あるいはその逆の構成にすることも可能である。
【００２１】
図２は前記メダル預かり払出装置１Ａ，１Ｂ，１Ｃ，１Ｄ，１Ｅの斜視図を示している。この図２のように、各メダル預かり払出装置１Ａ，…は、独立したボックスタイプの装置で、外面にメダル投入口５と、メダル払出口７と、カード挿入口９と、指紋入力部１１と、タッチパネルディスプレイ１３と、入力スイッチ１５とを備えている。
【００２２】
前記メダル投入口５は、ここから預け入れようとするメダルを投入する部分である。前記メダル払出口７は、払い出しを受けたメダルを取り出す部分である。前記カード挿入口９は、情報記録カードとしてＩＣカード１７を挿入する部分である。ＩＣカード１７は、本人を特定するための本人特有情報である生体情報として指紋情報を記憶し、本人が所持しているものであり、本実施形態において本人情報記録手段を構成している。
【００２３】
前記指紋入力部１１は、本人情報入力手段を構成し、本人認証を行うために本人を特定するための本人特有情報である生体情報として指紋情報を入力する部分である。尚、本人特有情報としては、生体情報の他に暗証番号などもある。生体情報としては、指紋情報の他に、例えば掌紋、目の情報、顔の情報、ＤＮＡ、声紋、さらには手の甲の静脈などの情報とすることも可能である。
【００２４】
前記タッチパネルディスプレイ１３は、各種情報を表示し、また各種情報を入力する部分である。前記入力スイッチ１５は、メダルの預け入れ払出を行う者の意思を入力するものであり、この入力スイッチ１５を押すことで、メダル預かり払出装置１Ａ，…の動作が可能となる。
【００２５】
図３は、前記メダル預かり払出装置１Ａ，１Ｂ，１Ｃ，１Ｄ，１Ｅのブロック図を示している。この図３のように、各メダル預かり払出装置１Ａ，…は、機構部１９、処理部２１、カード入力部２３、指紋入力部１１、指示表示部入力部２７、機械制御部２９、電力駆動制御部３１、音声処理部３３、スピーカ３５、ネットワーク制御部３７、無線ユニット３９を備えている。
【００２６】
前記機構部１９は、処理部２１により機械制御部２９、電力駆動制御部３１を介し制御されるものである。処理部２１は、カード入力部２３、指紋入力部１１、指示表示部入力部２７との間で信号が入出力されるようになっている。カード入力部２３は、情報記録カードから情報を読み取る情報読取手段を構成し、本実施形態においては前記図２のＩＣカード１７から指紋情報を読み取って、処理部２１に入力するようになっている。従って、処理部２１により、後述するように本人認証を行い、メダルの預かり情報を記録、更新すると共に、メダル払出手段に払出信号を出力し、預かりメダルの払出を制御することができる。
【００２７】
前記音声処理部３３は、メダルを預け入れあるいは払出を受ける者に対して、各種音声情報を処理し、スピーカ３５から出力するものである。従って、メダルを預け入れ、あるいは払出を受ける者は、音声出力の指示によって的確な操作を行うことができる。
【００２８】
又、前記処理部２１は、ネットワーク制御部３７、無線ユニット３９によって図１のような無線ＬＡＮによる接続が行われている。
【００２９】
前記機構部１９は、図４のようになっている。この機構部１９は、預入部４１と払出部４３とを備えている。
【００３０】
前記預入部４１は、メダル預入手段を構成し、前記図２のメダル投入口５から投入されたメダルを預け入れるものである。この預入部４１は、預け入れ計数器４５と、受入れストック４７とを有している。預け入れ計数器４５は、預け入れたメダルを計数し、その計数情報を前記処理部２１へ出力するものである。受入れストック４７は、預け入れ計数器４５で計数されたあとのメダルを受け入れて、所定量ストックするものである。
【００３１】
前記払出部４３は、メダル払出手段を構成し、前記処理部２１からの払出信号の入力によりメダルを図２のメダル払出口７へ払い出すものである。この払出部４３は、払い出しストック４９と、搬送ベルトコンベア５１と、払い出し計数器５３とを備えている。
【００３２】
前記払い出しストック４９は、前記受入れストック４７から搬送用ベルトコンベア５５、メダルリフト５７を介して搬送されたメダルを払出用としてストックする部分である。前記搬送ベルトコンベア５１は、払い出しストック４９から払い出し計数器５３への搬送量を制御する部分である。払い出し計数器５３は払い出すメダルを計数しながら前記メダル払出口７へメダルを払い出し、計数結果はメダルの払出情報として前記処理部２１に入力される。
【００３３】
図５は前記サーバー機能を有するメダル預かり払出装置１Ａ，１Ｂの処理部２１（２１Ａ，２１Ｂ）のブロック図を示したものである。この図５のように、処理部２１（２１Ａ，２１Ｂ）は、ＭＰＵカード５９、ＬＡＮカード６１、メモリ６３、ハードディスク６５、音声カード６７などを備えている。
【００３４】
前記ＬＡＮカード３は、無線ＬＡＮ接続するためのインターフェイスであり、ＩＰアドレスとしてプライベートアドレスが書き込まれている。ハードディスク６５は、本実施形態において、稼働情報記録手段を構成し、本実施形態において前記預け入れ計数器４５及び払い出し計数器５３の計数情報、本人認証情報を入力して記録している。又、ハードディスク６５には、メダル預かり払出装置１Ａ，１Ｂ，１Ｃ，１Ｄ，１Ｅ稼働のための種種のアプリケーションが記憶されている。
【００３５】
前記ＭＰＵカード５９は、各種演算処理を行うものである。前記音声カード６７は、音声処理を行い、前記スピーカー３５から各種操作指示のためなどの音声出力を行わせるものである。前記メモリ６３は、預け入れ計数器４５、払い出し計数器５３の計数情報など処理中の情報を一時保存するものである。
【００３６】
前記クライアント機能を有するメダル預かり払出装置１Ｃ，１Ｄ，１Ｅの処理部２１は、図６のようになっている。この処理部２１（２１Ｃ，２１Ｄ，２１Ｅ）は、ＭＰＵカード５９、ＬＡＮカード３、メモリ６３、音声カード６７を備え、ハードディスクは備えていない。このクライアントのメダル預かり払出装置１Ｃ，１Ｄ，１Ｅは、前記サーバーのメダル預かり払出装置１Ａ，１Ｂのハードディスク６５を共用するようになっている。但し、クライアントのメダル預かり払出装置１Ｃ，１Ｄ，１Ｅにおいて、ハードディスクを設けることもできる。
【００３７】
そして、前記ハードディスク６５に操作データ、操作ログ、顧客リストログとしてメダルの預け入れ情報、払出情報、本人認証情報などがデータとして記録され、更新するときには、図７のように必ずＬＡＮカード３を通して行うようになっている。
【００３８】
遊戯者がメダルゲームを終了し、所持しているメダルを預けるときには、図１のメダル預かり払出装置１Ａ，１Ｂ，１Ｃ，１Ｄ，１Ｅの何れかを使用し、その入力スイッチ１５を押すことになる。この入力スイッチ１５の操作により、該操作に応じたメダル預かり払出装置１Ａ，…のいずれかが動作可能となる。
【００３９】
次に、タッチパネルディスプレイ１３の表示、及びスピーカ３５からの音声の指示に従って、操作する。
【００４０】
まず、カード挿入部９からＩＣカード１７を挿入する。この挿入によって、カード入力部２３で指紋情報が読み取られ、処理部２１へ出力される。次に、指紋入力部１１に決められた指を当てて指紋を読み取らせる。これによって指紋入力部１１が光学的あるいは電子的に指紋を読取り、処理部２１へ入力する。
【００４１】
前記処理部２１では、カード入力部２３で読み取られた指紋情報と指紋入力部１１で読み取られた指紋情報とを比較し、本人認証ができた場合にはタッチパネルディスプレイ１３及びスピーカ３５の出力によりメダル投入口５へのメダル投入を指示する。本人認証ができなかった場合には、タッチパネルディスプレイ１３及びスピーカ３５から操作を拒否する旨の指示が行なわれる。
【００４２】
前記メダル投入口５から投入されたメダルは、図４の預入部４１の預け入れ計数器４５で計数され、その計数情報が預かりメダルの情報として前記処理部２１へ入力されることになる。計数後のメダルは、受入れストック４７へ受け入れられ、ストックされることになる。この受入れストック４７からは搬送用ベルトコンベア５５、メダルリフト５７を介し、払出部４３の払い出しストック４９へ送られ、払出しに備えられる。
【００４３】
次に、払出しに際しては、前記同様入力スイッチ１５を操作し、ＩＣカード１７をカード挿入部９から挿入すると共に、指紋入力部１１から指紋を入力し、本人認証を行ったあとメダル払出口７から預かりメダルが払い出されることになる。この払い出しは、処理部２１から払出部４３への払出信号の出力によって行われる。払出部４３では、搬送ベルトコンベア５１で制御しつつ、払い出し計数器５３で計数を行いながら預かりメダルの払い出しを行う。払い出し計数器５３での計数結果は、払出情報として処理部２１へ入力される。この払い出しに際しては、全ての預かりメダルの払い出し、預かりメダルの一部の払い出しを任意に選択することができる。
【００４４】
このようにして、必ず預け入れ者本人でなければ、預け入れメダルの払出ができないので、預け入れ者が預け入れメダルを店外へ持ち出し、第三者に自由に譲渡するということができず、賭博行為が発生する恐れはなく、かつ預け入れ、払い出しの自動化を実現することができる。
【００４５】
そして、サーバーのメダル預かり払出装置１Ａ，１Ｂでは、操作データ、操作ログ、顧客リストログなどとして、メダルの預け入れ情報、払出情報、本人確認がなされた本人認証情報とを、図７のようにＬＡＮカード３を介し直接各ハードディスク６５へ記録し、更新することになる。
【００４６】
又、クライアントのメダル預かり払出装置１Ｃ，１Ｄ，１Ｅでは、図６のメモリ６９に一旦記憶され、そのデータがＬＡＮ接続によってサーバーのメダル預かり払出装置１Ａ及び１Ｂのハードディスク６５へ送られ記録、更新されることになる。
【００４７】
これら各メダル預かり払出装置１Ａ，１Ｂ，１Ｃ，１Ｄ，１Ｅでの操作データ、操作ログ、顧客リストログなどはタッチパネルディスプレイ１３で表示されることになるが、サーバーのメダル預かり払出装置１Ａ，１Ｂでは、前記ＩＰアドレスにより自身のハードディスク６５に直接アクセスすることによって行う。
【００４８】
又、クライアントのメダル預かり払出装置１Ｃ，１Ｄ，１Ｅでは、ＬＡＮ接続を介し前記ＩＰアドレスによりサーバーのメダル預かり払出装置１Ａのハードディスク６５にアクセスすることによって表示することができる。
【００４９】
又、サーバーのメダル預かり払出装置１Ａ又は１Ｂをスタンドアロンで使用する場合にも、ハードディスク６５へのアクセスのインターフェースは、ＬＡＮカード３となっている。
【００５０】
このようにサーバーのメダル預かり払出装置１Ａ又は１Ｂをスタンドアロンで使用する場合と、クライアントのメダル預かり払出装置１Ｃ，１Ｄ，１ＥをＬＡＮ接続で増設した場合でも、データアクセスのためのインターフェースが同一となり、データアクセスのためのプログラムが単一となり、安価に製造することができる。
【００５１】
又、クライアントのメダル預かり払出装置１Ｃ，１Ｄ，１Ｅは、ハードディスクが不要であり、増設する場合でも安価に増設することができる。
【００５２】
更に、メダル預かり払出装置１Ａ，…の管理は個々に行う必要がなく、施設運営者の管理機器によりサーバーのメダル預かり払出装置１Ａのハードディスク６５にアクセスしてデータをダウンロードし、一元管理を行うことができ、管理を容易にすることができる。
【００５３】
尚、上記実施形態ではＩＣカード１７に記録された指紋情報を読み取ることによって本人認証を行うようにしたが、本人情報記録手段としてハードディスク６５に登録された本人の指紋情報を予め記録し、指紋インデックスを記録した磁気カードをインデックス情報入力手段としてカード入力部により指紋インデックスを読みとり、あるいはタッチパネルディスプレイ１３をインデックス情報入力手段として指紋インデックスの入力を行うことによっても本人認証を行うことができる。即ち、前記指紋インデックスの読み取り又は入力により、前記ハードディスク６５から指紋情報を読み出し、該読み出された指紋情報と指紋入力部１１から入力された指紋情報とを比較し、本人認証を行うことができる。
【００５４】
又、上記実施形態では、サーバーのメダル預かり払出装置１Ａ，１Ｂを２台設けてバックアップ機能を持たせるようにしているが、１台のみにすることもできる。又、上記したように、クライアントのメダル預かり払出装置１Ｃ，１Ｄ，１Ｅは、遊戯施設の広さによって増設すればよいものである。
【００５５】
本発明では、メダル預かり払出装置として、メダルの預かり払出について説明したが、メダルに代えてパチンコ玉、コイン、その他のチップを対象とする場合も均等であることは勿論である。
【図面の簡単な説明】
【図１】本発明の一実施形態に係り、メダル預かり払出装置の無線によるＬＡＮ接続を示すブロック図である。
【図２】一実施形態に係り、メダル預かり払出装置の斜視図である。
【図３】一実施形態に係り、メダル預かり払出装置のブロック図である。
【図４】一実施形態に係り、メダル預かり払出装置の機構部のブロック図である。
【図５】一実施形態に係り、サーバー機能を有するメダル預かり払出装置の処理部のブロック図である。
【図６】一実施形態に係り、クライアント機能を有するメダル預かり払出装置の処理部のブロック図である。
【図７】一実施形態に係り、データの記録、更新経路を説明するブロック図である。
【符号の説明】
１Ａ，１Ｂ，１Ｃ，１Ｄ，１Ｅ  メダル預かり払出装置
３  ＬＡＮカード（ネットワークインターフェース）
９  カード挿入部（情報読取手段）
１１  指紋入力部（本人情報入力手段）
１３  タッチパネルディスプレイ（インデックス情報入力手段）
１７  ＩＣカード（情報記録カード、本人情報記録手段）
２１  処理部
２３  カード入力部（情報読取手段）
４１  預入部（メダル預入手段）
４３  払出部（メダル払出手段）
６５  ハードディスク（稼働情報記録手段、本人情報記録手段）
【図１】
0003772082.tif 000002
【図２】
0003772082.tif 000003
【図３】
0003772082.tif 000004
【図４】
0003772082.tif 000005
【図５】
0003772082.tif 000006
【図６】
0003772082.tif 000007
【図７】
0003772082.tif 000008